(57)【要約】【課題】被写体の撮影に支障を与えずに通信状態の詳細な情報を表示すること。【解決手段】カメラ背面４に、例えば被写体の動画をスルー画像として表示等するＴＦＴ液晶ディスプレイ６と、主として無線通信の状態に関する情報として例えば無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などを表示する無線液晶ディスプレイ８と、無線通信に関わる操作を行うための第１乃至第３の操作ボタン９−１〜９−３を設けた。【選択図】図１
2006238018.tif 000002
【特許請求の範囲】
【請求項１】
被写体を撮像する撮像手段と、
前記撮像手段により取得された画像データに基づいて主として前記被写体の画像又は前記撮像に関する各種設定メニューの少なくとも一方を表示する第１の表示手段と、
外部の通信機器との間で無線通信により情報の送受信を行う無線通信手段と、
主として前記無線通信に関する情報を表示する第２の表示手段と、
前記無線通信に関わる操作を行うための無線操作手段と、
を具備し、
前記第１の表示手段、前記第２の表示手段及び前記無線操作手段を、カメラ本体の背面に設けた、
ことを特徴とするデジタルカメラ。
【請求項２】
前記第２の表示手段は、前記無線通信の速度を当該無線通信速度に応じた数値により表示することを特徴とする請求項１記載のデジタルカメラ。
【請求項３】
前記第２の表示手段は、前記無線通信のリンク強度を当該リンク強度に応じて表示することを特徴とする請求項１記載のデジタルカメラ。
【請求項４】
前記第２の表示手段は、前記無線通信により送信すべき前記画像データの残量を表示することを特徴とする請求項１記載のデジタルカメラ。
【請求項５】
前記第２の表示手段は、送信すべき前記画像データの前記残量表示を数値表示又はインジケータ表示のうちいずれか一方又は両方で行うことを特徴とする請求項４記載のデジタルカメラ。
【請求項６】
前記第２の表示手段は、前記撮像手段により取得された前記画像データの送信完了までの残り時間又は残りコマ数のいずれか一方又は両方を表示することを特徴とする請求項１記載のデジタルカメラ。
【請求項７】
前記第２の表示手段は、前記残り時間又は前記残りコマ数を一定時間毎に切り換えて表示することを特徴とする請求項６記載のデジタルカメラ。
【請求項８】
前記第２の表示手段は、前記撮像手段の撮像により取得された前記画像データの送信先を表示することを特徴とする請求項１記載のデジタルカメラ。
【請求項９】
前記第２の表示手段は、前記無線通信のセキュリティに関する暗号化方法を表示することを特徴とする請求項１記載のデジタルカメラ。
【請求項１０】
前記無線操作手段は、前記無線通信に関わる前記操作の決定を指示するための第１の操作端と、
前記無線通信の状態を前記第１又は第２の表示手段に表示するための第２の操作端と、
前記被写体の前記画像データを前記外部通信機器に送信指示するための第３の操作端と、
を有することを特徴とする請求項１記載のデジタルカメラ。
【請求項１１】
前記無線操作手段は、前記第１乃至第３の操作端のうちいずれか１つの前記操作端の操作を受けて前記無線通信状態の各メニュー設定項目を切り替え表示することを特徴とする請求項１０記載のデジタルカメラ。
【請求項１２】
前記無線操作手段は、前記第１乃至第３の操作端のうちいずれか１つの前記操作端の操作を受けて前記無線通信状態の詳細情報を前記第１の表示手段に表示させることを特徴とする請求項１０記載のデジタルカメラ。
【請求項１３】
被写体を撮像する撮像手段と、前記撮像手段により取得された画像データに基づいて主として前記被写体の画像又は前記撮像に関する各種設定メニューを表示する第１の表示手段とを有し、かつ前記第１の表示手段を背面に設けたカメラ本体に対して着脱可能に設けられ、
外部の通信機器との間で無線通信により情報の送受信を行う無線通信手段と、
主として前記無線通信に関する情報を表示する第２の表示手段と、
前記無線通信に関わる操作を行うための無線操作手段と、
を具備し、
前記第２の表示手段及び前記無線操作手段を、前記カメラ本体に装着したときに前記カメラ本体の前記背面と同一面側に設けた、
ことを特徴とする無線ユニット。
【請求項１４】
前記第２の表示手段は、前記無線通信の速度を当該無線通信速度に応じた数値により表示することを特徴とする請求項１３記載の無線ユニット。
【請求項１５】
前記第２の表示手段は、前記無線通信のリンク強度を当該リンク強度に応じて表示することを特徴とする請求項１３記載の無線ユニット。
【請求項１６】
前記第２の表示手段は、前記無線通信により送信すべき前記画像データの残量を表示することを特徴とする請求項１３記載の無線ユニット。
【請求項１７】
前記第２の表示手段は、送信すべき前記画像データの残量表示を数値表示又はインジケータ表示のうちいずれか一方又は両方で行うことを特徴とする請求項１６記載の無線ユニット。
【請求項１８】
前記第２の表示手段は、前記撮像手段の撮像により取得された前記画像データの送信完了までの残り時間又は残りコマ数のいずれか一方又は両方を表示することを特徴とする請求項１３記載の無線ユニット。
【請求項１９】
前記第２の表示手段は、前記残り時間又は前記残りコマ数を一定時間毎に切り換えて表示することを特徴とする請求項１８記載の無線ユニット。
【請求項２０】
前記第２の表示手段は、前記撮像手段の撮像により取得された前記画像データの送信先を表示することを特徴とする請求項１３記載の無線ユニット。
【請求項２１】
前記第２の表示手段は、前記無線通信のセキュリティに関する暗号化方法を表示することを特徴とする請求項１３記載の無線ユニット。
【請求項２２】
前記無線操作手段は、前記無線通信に関わる前記操作の決定を指示するための第１の操作端と、
前記無線通信状態を前記第１又は第２の表示手段に表示するための第２の操作端と、
前記被写体の前記画像を前記外部通信機器に送信指示するための第３の操作端と、
を有することを特徴とする請求項１３記載の無線ユニット。
【請求項２３】
前記無線操作手段は、前記第１乃至第３の操作端のうちいずれか１つの前記操作端の操作を受けて前記無線通信状態の各メニュー設定項目を切り替え表示することを特徴とする請求項２２記載のデジタルカメラ。
【請求項２４】
前記無線操作手段は、前記第１乃至第３の操作端のうちいずれか１つの前記操作端の操作を受けて前記無線通信状態の詳細情報を前記第１の表示手段に表示することを特徴とする請求項２２記載の無線ユニット。
【発明の詳細な説明】
【技術分野】
【０００１】
本発明は、例えば被写体を撮像して取得した画像データ等を無線通信するデジタルカメラ及び無線通信機能をカメラ本体に対して着脱可能に設けた無線ユニットに関する。
【背景技術】
【０００２】
デジタルカメラには、被写体を撮像して取得した画像データ等を無線通信により他の通信機器、例えばパーソナルコンピュータ又は他のデジタルカメラに送信する機能を有するものがある。このようなデジタルカメラでは、電源オンの状態や通信状態を例えば発光ダイオード（ＬＥＤ）を用いて簡易に表示している。
【０００３】
又、通信状態を表示するデジタルカメラには、ＴＦＴ（Thin Film Transistor）液晶ディスプレイを備え、このＴＦＴ液晶ディスプレイに表示されるメニューから通信状態の表示を選択することにより、当該ＴＦＴ液晶ディスプレイに詳細な通信状態を表示するものがある。
【特許文献１】特開２００２−３５４１４９号公報
【発明の開示】
【発明が解決しようとする課題】
【０００４】
しかしながら、電源オンの状態や通信状態を例えばＬＥＤを用いて簡易に表示するデジタルカメラでは、詳細な通信状態を確認することかできない。
【０００５】
一方、ＴＦＴ液晶ディスプレイに詳細な通信状態を表示するデジタルカメラでは、通常、ＴＦＴ液晶ディスプレイに表示するのは、撮像する被写体を確認するための画像やカメラ撮影条件等を変更するための設定情報など多岐の情報に渡り、これら情報を表示する機会も多い。そして、このようなデジタルカメラを使用する場合、例えば、ＴＦＴ液晶ディスプレイには、被写体を撮影するときに当該被写体の画像に切り替え表示し、通信状態を確認したいときに詳細な通信状態の表示に切り替える。
【０００６】
このため、被写体を撮影するときには、詳細な通信状態をＴＦＴ液晶ディスプレイに表示することができず、使用する上で不便なところがある。
【課題を解決するための手段】
【０００７】
本発明は、被写体を撮像する撮像手段と、撮像手段により取得された画像データに基づいて主として被写体の画像又は撮像に関する各種設定メニューの少なくとも一方を表示する第１の表示手段と、外部の通信機器との間で無線通信により情報の送受信を行う無線通信手段と、主として無線通信に関する情報を表示する第２の表示手段と、無線通信に関わる操作を行うための無線操作手段とを具備し、第１の表示手段、第２の表示手段及び無線操作手段を、カメラ本体の背面に設けたデジタルカメラである。
【０００８】
本発明は、被写体を撮像する撮像手段と、撮像手段により取得された画像データに基づいて主として被写体の画像又は撮像に関する各種設定メニューを表示する第１の表示手段とを有し、かつ第１の表示手段を背面に設けたカメラ本体に対して着脱可能に設けられ、外部の通信機器との間で無線通信により情報の送受信を行う無線通信手段と、主として無線通信に関する情報を表示する第２の表示手段と、無線通信に関わる操作を行うための無線操作手段とを具備し、第２の表示手段及び無線操作手段を、カメラ本体に装着したときにカメラ本体の背面と同一面側に設けた無線ユニットである。
【発明の効果】
【０００９】
本発明は、被写体の撮影に支障を与えずに通信状態の詳細な情報を表示できるデジタルカメラ及び無線ユニットを提供できる。
【発明を実施するための最良の形態】
【００１０】
以下、本発明の第１の実施の形態について図面を参照して説明する。
【００１１】
図１は一眼レフのデジタルカメラの背面図を示す。デジタルカメラのカメラ本体１の上面には、被写体の撮像動作を行なわせるためのレリーズボタン２及び無線通信のためのアンテナ３が設けられている。
【００１２】
カメラ本体１のカメラ背面４には、上部にファインダ５が設けられ、かつ略中央部に第１の表示手段としてのカラー液晶ＴＦＴ（Thin Film Transistor）ディスプレイ（以下、ＴＦＴ液晶ディスプレイと省略する）６が設けられている。このＴＦＴ液晶ディスプレイ６は、例えば被写体の動画をスルー画像として表示したり、被写体を撮像したときの静止画像をフル画像で表示したり、又はこの静止画像を圧縮したサムネイル画像等を表示したり、さらには撮像に関する各種設定メニューを表示する。
【００１３】
カメラ本体１のカメラ背面４には、十字キー７が設けられている。この十字キー７は、ＴＦＴ液晶ディスプレイ６に隣接している。この十字キー７は、例えばＴＦＴ液晶ディスプレイ６に表示される被写体の静止画像又はそのサムネイル画像等を選択するために操作されるもので、互いに直交する４方向（例えば上下左右方向）の各指示キー７ａ、７ｂ、７ｃ、７ｄを有する。又、十字キー７は、被写体を撮像するときの撮像に関する各種設定メニューを例えばＴＦＴ液晶ディスプレイ６に選択表示させる。
【００１４】
カメラ背面４に向かって例えば左側には、第２の表示手段としての無線液晶ディスプレイ８が設けられている。この無線液晶ディスプレイ８は、主として無線通信の状態に関する情報を表示する。図２は無線液晶ディスプレイ８に表示される情報の拡大図を示す。なお、同図は全情報の表示を示す。この無線液晶ディスプレイ８には、無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などが表示される。
【００１５】
無線通信の規格Ｆ１は、２つの転送レート「１１ｇ」「１１ｂ」を有し、転送レート「１１ｇ」の方が転送レート「１１ｂ」よりも無線通信の速度が速い。無線通信の規格Ｆ１の表示は、転送レート「１１ｇ」又は「１１ｂ」を表示すると共に、これら転送レート「１１ｇ」又は「１１ｂ」での転送スピードＦ６を数値により表示する。
【００１６】
図３（ａ）〜（ｃ）は転送レート「１１ｇ」における各転送スピードＦ６の表示例を示す。転送レート「１１ｇ」に設定された場合は、当該転送レート「１１ｇ」を例えば黒色バックで表示する。同図（ａ）〜（ｃ）は転送レート「１１ｇ」における各転送スピードＦ６、例えば５４Ｍbps、４８Ｍbps、３６Ｍbpsの表示を示す。なお、各転送スピードＦ６は、２４Ｍbps、１８Ｍbps、１２Ｍbps、９Ｍbps、６Ｍbpsにも設定される。これら転送スピードＦ６は、無線通信の状態に応じていずれか１つに切り替え設定される。
【００１７】
図４（ａ）〜（ｃ）は転送レート「１１ｂ」における各転送スピードＦ６の表示例を示す。転送レート「１１ｂ」に設定された場合は、当該転送レート「１１ｂ」を例えば黒色バックで表示する。同図（ａ）〜（ｃ）は転送レート「１１ｂ」における各転送スピードＦ６、例えば１１Ｍbps、５．５Ｍbps、２Ｍbpsの表示を示す。なお、各転送スピードＦ６は、１Ｍbpsにも設定される。これら転送スピードＦ６は、無線通信の状態に応じていずれか１つに切り替え設定される。
【００１８】
無線通信のリンク強度Ｆ２の表示は、無線通信のリンク強度Ｆ２を当該リンク強度Ｆ２に応じた指標、例えば図５（ａ）〜（ｃ）に示すようにアンテナの形状を模擬した複数のバーの表示本数により表示する。同図（ａ）はリンク強度Ｆ２が最大（例えば１００％〜７５％のリンク強度Ｆ２）で全てのバーが例えば黒色で表示、すなわち全てのバーが立っている。同図（ｂ）はリンク強度Ｆ２が例えば７５％〜５０％に落ちた場合の表示例を示し、リンク強度最大と比べてバーを立てる本数が１本減少する。同図（ｃ）はリンクが切れた場合の表示例を示し、全てのバーが消えている。なお、図示しないがリンク強度Ｆ２が例えば５０％〜２５％に落ちた場合はバーを立てる本数を２本とし、リンク強度Ｆ２が例えば２５％〜０％に落ちた場合はバーを立てる本数を１本とする。
【００１９】
無線通信のセキュリティＦ３は、無線通信のセキュリティに関する暗号化方法を表示する。図６（ａ）〜（ｃ）はセキュリティＦ３の設定の表示例を示し、同図（ａ）はセキュリティＦ３の設定なし、同図（ｂ）はセキュリティＦ３を「ＷＥＰ（wired equivalent privacy）」に設定した状態、同図（ｃ）はセキュリティＦ３を「ＷＰＡ（Wi-Fi Protected Access）」に設定した状態を示す。これら「ＷＥＰ」「ＷＰＡ」は、撮影者により選択された設定されるもので、選択された「ＷＥＰ」又は「ＷＰＡ」が例えば黒色で表示される。
【００２０】
無線通信の接続の相手Ｆ４は、図７（ａ）〜（ｃ）に示すように「ＳＴＯＲＡＧＥ」、「ＰＣ」又は「ＦＴＰ（file transfer protocol）」を表示する。同図（ａ）に示す「ＳＴＯＲＡＧＥ」は、無線通信を行う通信ネットワークに接続されたサーバ等における記録装置である。同図（ｂ）に示す「ＰＣ」は、当該デジタルカメラを通信ネットワークを介してシャッタスピードや露出等の撮影条件や被写体を撮像して取得された画像データを送信するなどの遠隔制御を行う例えばパーソナルコンピュータである。なお、複数のデジタルカメラのうち例えば１台をホストとすると共に他をスレーブとし、これらデジタルカメラ間で通信ネットワークを介して画像データを送受信するデジタルカメラシステムを構築した場合、ホストデジタルカメラが「ＰＣ」に相当する。同図（ｃ）に示す「ＦＴＰ」は、インターネット上の２点間でファイルを転送するためのプロトコルを示す。
【００２１】
無線通信の送信状況Ｆ５は、無線通信により送信される画像データの残量を数値とインジケータとにより表示する。図８（ａ）（ｂ）は画像データの送信を終了するまでの残り時間の表示例を示し、図９（ａ）（ｂ）は画像データの送信を終了する残り駒数の表示例を示し、図１０は画像データの送信を終了するまでの残り時間と残り駒数との切替え表示例を示す。
【００２２】
このうち画像データの送信を終了するまでの残り時間等の数値表示は、図８（ａ）に示すように画像データの送信中に、送信すべき画像データのうち送信した画像データの割合、例えば画像データの割合５０％の画像データを送信した状況であれば、画像データを示す「ＤＡＴＡ」の白抜き表示と共に５０％の数値表示を行う。
【００２３】
この数値表示と共に、送信すべき画像データを送信終了するまでの残り時間、例えば画像データの割合５０％の画像データを送信した状況であれば、残り５０％の画像データを送信終了するまでの残り時間、ここでは残り時間を示す「ＴＩＭＥ」の白抜き表示と共に残り時間１００ｓを数値表示する。
【００２４】
さらに、画像データの送信を終了するまでの残り時間の表示は、インジケータ表示Ｇにより行う。このインジケータ表示Ｇは、直線状のバー表示であって、例えば画像データの送信量に応じてバーの表示長さを可変表示する。上記のように例えば画像データの割合５０％の画像データを送信した状況であれば、インジケータ表示Ｇは、バー全長の半分だけ表示する。
【００２５】
図８（ｂ）は送信すべき全ての画像データの送信を終了した状況での残り時間等の表示例を示すもので、例えば、画像データの割合は１００％、残り時間は０ｓを示す。インジケータ表示Ｇは、バー全長を表示する。
【００２６】
図９（ａ）（ｂ）は、送信すべき画像データのうち送信した画像データの割合（％表示）及びインジケータ表示Ｇと共に、画像データの送信を終了する残り駒数の表示を行う。例えば画像データの割合５０％の画像データを送信した状況であれば、図９（ａ）に示すように残り駒数の表示は、画像データの送信中に、画像データを示す「ＰＩＣ」の白抜き表示と共に、画像データの残り駒数、例えば１０枚を表示する。
【００２７】
図９（ｂ）は送信すべき全ての画像データの送信を終了した状況での残り駒数の表示は、「ＰＩＣ」の白抜き表示と共に、画像データの残り駒数、例えば０枚を表示する。
【００２８】
画像データの送信を終了するまでの残り時間と残り駒数との切替え表示は、図１０に示すように上記のように例えば画像データの割合５０％の画像データを送信した状況であれば、「ＴＩＭＥ」の白抜き表示と共に残り時間１００ｓの数値表示と、「ＰＩＣ」の白抜き表示と共に画像データの残り駒数１０枚の表示とを一定時間毎に切り替えて表示する。
【００２９】
なお、画像データの送信を終了するまでの残り時間及び残り駒数は、同時に表示するようにしてもよい。
【００３０】
無線液晶ディスプレイ８には、図１１（ａ）〜（ｃ）に示すように通信ネットワークにおける無線ＬＡＮ（local area network）モードの設定状態が表示される。無線ＬＡＮモードは、自動（ＡＵＴＯ）モード、転送レート「１１ｇ」のモード、転送レート「１１ｂ」のモードを有し、後述する複数の操作ボタン９−１〜９−３に対する撮影者の操作によっていずれか１つのモードに設定される。ＡＵＴＯモードは、無線通信の規格Ｆ１である２つの転送レート「１１ｇ」「１１ｂ」を自動的に変更する。ＡＵＴＯモードに設定した場合、図１１（ａ）に示すように転送レート「１１ｇ」「１１ｂ」の両方が白抜き表示される。同図（ｂ）は転送レート「１１ｇ」のみを設定した場合であって、「１１ｇ」のみが白抜き表示される。同図（ｃ）は転送レート「１１ｂ」のみを設定した場合であって、「１１ｂ」のみが白抜き表示される。
【００３１】
無線液晶ディスプレイ８には、図１２（ａ）（ｂ）に示すように通信ネットワークにおける送信モードの設定状態が表示される。この送信モードは、被写体を撮像して取得された複数の画像データの中から撮影者によって選択された画像データを送信する選択送信モードと、撮影後に直ちに自動的に画像データを送信する撮影後自動送信モードとを有する。同図（ａ）は選択送信モードの表示例を示すもので、「ＤＡＴＡ」を白抜き表示する。同図（ｂ）は撮影後自動送信モードの表示例を示すもので、「ＡＵＴＯ」を白抜き表示する。
【００３２】
図１に示すようにカメラ本体１のカメラ背面４における無線液晶ディスプレイ８の下方には、無線通信に関わる操作を行うための複数の操作ボタン、例えば第１乃至第３の操作ボタン９−１〜９−３が設けられている。このうち第１の操作ボタン９−１は、ライトボタン／決定ボタンであって、撮影者によって押下されると、無線液晶ディスプレイ８のバックライトを点灯する。又、第１の操作ボタン９−１は、例えば、無線ＬＡＮモードとしてＡＵＴＯモード、「１１ｇ」モード又は「１１ｂ」モードを決定するとき、送信モードを選択送信モード又は撮影後自動送信モードに決定するとき、無線通信のセキュリティＦ３を「ＷＥＰ」又は「ＷＰＡ」に決定するとき、無線通信の接続の相手Ｆ４を「ＳＴＯＲＡＧＥ」、「ＰＣ」又は「ＦＴＰ」に決定定するときに撮影者によって押下される。
【００３３】
この第１の操作ボタン９−１は、所定時間、例えば２秒間撮影者によって押下されると、カスタムメニューの表示に切り替える。
【００３４】
第２の操作ボタン９−２は、ＩＮＦＯ（information）ボタン／第１の変更ボタンであって、撮影者によって押下されると、後述するようにＴＦＴ液晶ディスプレイ６に図１３に示すような無線通信情報を表示する。この無線通信情報には、無線通信状態の詳細情報として例えば通信先、ＥＳＳ−ＩＤ（extended service set identity or ID）、無線モード、セキュリティ、通信モード、チャンネル、ＭＡＣ（媒体アクセス制御）アドレス、通信中ファイル、リンク強度、通信レート、残り時間、残り駒数などが表示される。
【００３５】
第３の操作ボタン９−３は、送信ボタン／第２の変更ボタンであって、十字キー７に対する撮影者の操作により選択された被写体の静止画像又はサムネイル画像をＴＦＴ液晶ディスプレイ６に表示した状態で撮影者によって押下されると、当該被写体の静止画像又はサムネイル画像のフル画像データを送信する。
【００３６】
上記第２の操作ボタン９−２は、第１の操作ボタン９−１に対する押下によりカスタムメニューの表示に切り替えられた状態で、撮影者によって押下され続けられると、無線液晶ディスプレイ８に表示するカスタムメニューの各項目を一定時間毎に循環表示する。カスタムメニューの各項目は、例えば「ＴＩＭＥ、ＰＩＣ、切替え表示決定」と、「無線ＬＡＮモード設定」と、「ＬＩＧＨＴ時間設定」と、「ＩＮＦＯモード設定」とである。
【００３７】
「ＴＩＭＥ、ＰＩＣ、切替え表示決定」は、図１４（ａ）〜（ｃ）に示すように第３の操作ボタン９−３の押下毎に決定すべき項目を変更する。先ず、第３の操作ボタン９−３の押下により同図（ａ）に示すように画像データの送信を終了するまでの残り時間を示す「ＴＩＭＥ」の白抜き表示と、画像データの残り駒数を示す「ＰＩＣ」の白抜き表示とをそれぞれ点滅する。次に、第３の操作ボタン９−３が押下されると、同図（ｂ）に示すように「ＴＩＭＥ」の白抜き表示のみが点滅する。この状態で、第１の操作ボタン９−１が撮影者によって押下されると、残り時間の表示「ＴＩＭＥ」に決定される。次に、第３の操作ボタン９−３が押下されると、同図（ｃ）に示すように「ＰＩＣ」の白抜き表示のみが点滅する。この状態で、第１の操作ボタン９−１が撮影者によって押下されると、残り駒数の表示「ＰＩＣ」に決定される。
【００３８】
「無線ＬＡＮモード設定」は、図１５（ａ）〜（ｃ）に示すように第３の操作ボタン９−３の押下毎に決定すべき項目を変更する。先ず、第３の操作ボタン９−３の押下により同図（ａ）に示すように無線ＬＡＮモードとしての各転送レート「１１ｇ」「１１ｂ」の白抜き表示をそれぞれ点滅する。次に、第３の操作ボタン９−３が押下されると、同図（ｂ）に示すように転送レート「１１ｇ」の白抜き表示のみが点滅する。この状態で、第１の操作ボタン９−１が撮影者によって押下されると、転送レート「１１ｇ」に決定される。次に、第３の操作ボタン９−３が押下されると、同図（ｃ）に示すように転送レート「１１ｂ」の白抜き表示のみが点滅する。この状態で、第１の操作ボタン９−１が撮影者によって押下されると、転送レート「１１ｇ」に決定される。
【００３９】
「ＬＩＧＨＴ時間設定」は、図１６（ａ）〜（ｃ）に示すように無線液晶ディスプレイ８のバックライトの点灯時間を決定するもので、先ず、第３の操作ボタン９−３の押下により同図（ａ）に示すようにバックライトを示す「ＬＩ」を表示すると共に、点灯時間１０ｓを点滅する。この状態で、第１の操作ボタン９−１が撮影者によって押下されると、点灯時間１０ｓに決定される。次に、第３の操作ボタン９−３が押下されると、同図（ｂ）に示すように点灯時間２０ｓに変更して点滅する。この状態で、第１の操作ボタン９−１が撮影者によって押下されると、点灯時間２０ｓに決定される。このように第３の操作ボタン９−３が押下される毎に点灯時間が例えば３０ｓ、１ｍｓ、３ｍｓ、５ｓなどに変更して点滅する。これら状態で第１の操作ボタン９−１が撮影者によって押下されると、そのとき点滅している点灯時間例えば３０ｓ、１ｍｓ、３ｍｓ、５ｓなどに決定される。
【００４０】
「ＩＮＦＯモード設定」は、図１７（ａ）（ｂ）に示すようにＶＩＷ（View）の点滅表示と、Ｐｒｏ（Profile）の点滅表示とが第３の操作ボタン９−３の押下により切り替わる。ＶＩＷ（View）の点滅表示又はＰｒｏ（Profile）の点滅表示の表示の状態で、第１の操作ボタン９−１が撮影者によって押下されると、そのとき点滅しているＶＩＷ（View）又はＰｒｏ（Profile）が決定される。Ｐｒｏ（Profile）に決定されると、上記のように図１３に示す無線通信状態における無線ＬＡＮの詳細情報をＴＦＴ液晶ディスプレイ６に表示する。
【００４１】
なお、電源オン時、無線液晶ディスプレイ８は、図１８（ａ）に示すように例えば「１１ｇ」「１１ｂ」「ＤＡＴＡ」「Ｍｂｐｓ」及び７セグメントのうち１つのセグメント「−」を表示する。電源オフ時、無線液晶ディスプレイ８は、図１８（ｂ）に示すように表示なしとする。
【００４２】
図１９はデジタルカメラの機能ブロック図を示す。このデジタルカメラは、カメラ本体１と、アクセサリ装置としてのレンズユニット１０、記録メディア１１と、ストロボユニット１２とを有する。レンズユニット１０は、カメラ本体１に対して交換可能である。記録メディア１１は、通信コネクタ１３に対して着脱可能であり、この通信コネクタ１３を通して撮影画像データを記録する。ストロボユニット１２は、カメラ本体１に対してストロボ通信コネクタ１４を介して外付けされる。
【００４３】
レンズユニット１０は、カメラ本体１の前面に対して図示しないレンズマウントを介して着脱可能に装着されている。このレンズユニット１０は、各撮影レンズ１５、１６と、絞り１７と、レンズ駆動機構１８と、絞り駆動機構１９と、レンズ制御用マイクロコンピュータ２０とから構成される。
【００４４】
各撮影レンズ１５、１６は、レンズ駆動機構１８内に存在する図示しないＤＣモータの駆動によって光軸方向にそれぞれ移動する。絞り１７は、絞り駆動機構１９内に存在する図示しないステッピングモータの駆動によって絞り径が変化する。
【００４５】
レンズ制御用マイクロコンピュータ２０は、レンズ駆動機構１８、絞り駆動機構１９等のレンズユニット１０内に収納されている各機能を駆動制御する。このレンズ制御用マイクロコンピュータ２０は、レンズ通信コネクタ２１を介して後述するボディ制御用マイクロコンピュータ２２との間で相互にデータ授受が可能となり、ボディ制御用マイクロコンピュータ２２から発せられた指令に従って制御される。
【００４６】
カメラ本体１内には、クイックリターンミラー２３が設けられている。このクイックリターンミラー２３は、レンズユニット１０内の各撮影レンズ１５、１６、絞り１７を介して入射される図示しない被写体からの光束上に設けられている。このクイックリターンミラー２３の反射光束上には、フォーカシングスクリーン２４、ペンタプリズム２５が設けられ、さらにペンタプリズム２５から出射される光束上に接眼レンズ２６が設けられている。これにより、レンズユニット１０内の各撮影レンズ１５、１６、絞り１７を介して入射された被写体からの光束は、クイックリターンミラー２３の上面側で反射され、フォーカシングスクリーン２４、ペンタプリズム２５を介して接眼レンズ２６に至る。この接眼レンズ２６は、ファインダ５に設けられている。
【００４７】
クイックリターンミラー２３の中央部は、ハーフミラーに形成されている。このクイックリターンミラー２３の下面側には、サブミラー２７が略垂直方向に設けられている。クイックリターンミラー２３は、アップダウン移動可能に設けられている。なお、クイックリターンミラー２３は、ダウンした位置にある。このダウンした位置にクイックリターンミラー２３がある場合、レンズユニット１０内の各撮影レンズ１５、１６、絞り１７を介して入射された被写体からの光束の一部がクイックリターンミラー２３を透過する。この透過した光束は、サブミラー２７で反射し、自動測距を行うためのＡＦ（オートフォーカス）センサユニット２８に入射する。なお、クイックリターンミラー２３のアップ時には、サブミラー２７は折り畳まれる。
【００４８】
クイックリターンミラー２３を透過した光束上には、フォーカルプレーン式のシャッタユニット２９と撮像モジュール３０とが設けられている。撮像モジュール３０は、光学系を通過した被写体像を光電変換する固体撮像素子（ＣＣＤ）３１を収容した撮像ユニット３２を備えている。なお、クイックリターンミラー２３が光束上から退避した場合、各撮影レンズ１５、１６を通った光束は、撮像モジュール３０内の固体撮像素子（ＣＣＤ）３１に結像される。
【００４９】
カメラ本体１内には、画像処理を行う画像処理コントローラ３３が内蔵されている。この画像処理コントローラ３３には、撮像素子インターフェイス回路３４と、ＳＤＲＡＭ３５と、通信コネクタ１３を介して記録メディア１１とが接続されている。撮像素子インターフェイス回路３４は、撮像モジュール３０内の固体撮像素子（ＣＣＤ）３１に接続されている。ＳＤＲＡＭ３５は、データ等の記憶領域として設けられている。
【００５０】
記録メディア１１は、例えば各種のメモリカードや外付けのハードディスクドライブ（ＨＤＤ）等の外部記録媒体であり、通信コネクタ１３を介してカメラ本体１と通信可能で、かつ交換可能に装着されている。
【００５１】
ボディ制御用マイクロコンピュータ２２には、レンズ通信コネクタ２１と、測光回路３６と、ミラー駆動機構３７と、ＡＦセンサ駆動回路３８と、シャッタ駆動制御回路３９と、不揮発性メモリ（ＥＥＰＲＯＭ）４０等が接続されると共に、カメラ本体１内の各部を制御するためのボディ制御用マイクロコンピュータ２２が接続されている。
【００５２】
測光回路３６は、ペンタプリズム２５からの光束に基づいて測光処理を行う。ミラー駆動機構３７は、クイックリターンミラー２３を駆動制御する。ＡＦセンサ駆動回路３８は、ＡＦセンサユニット２８を駆動制御する。シャッタ駆動制御回路３９は、シャッタユニット２９の先幕と後幕との動きを制御すると共に、ボディ制御用マイクロコンピュータ２２との間でシャッタユニット２９の開閉動作を制御する信号とストロボと同調する信号の授受を行う。
【００５３】
不揮発性メモリ４０は、デジタルカメラ制御に必要な所定の制御パラメータや無線通信に必要な情報等を記憶するもので、ボディ制御用マイクロコンピュータ２２からアクセス可能である。このボディ制御用マイクロコンピュータ２２には、ＴＦＴ液晶ディスプレイ６と、カメラ操作部４１と、図示しない電源回路を介して電池とが接続されている。この電源回路は、電池の出力電圧値を、当該デジタルカメラで必要とする所定の電圧値に変換して供給する。
【００５４】
カメラ操作部４１は、レリーズボタン２、各指示キー７ａ、７ｂ、７ｃ、７ｄを有する
十字キー７、各操作ボタン９−１〜９−３等を有する。
【００５５】
ボディ制御用マイクロコンピュータ２２とレンズ制御用マイクロコンピュータ２０とは、レンズユニット１０の装着時に、レンズ通信コネクタ２１を介してデータ通信可能に電気的に接続される。そして、デジタルカメラとしてレンズ制御用マイクロコンピュータ２０は、ボディ制御用マイクロコンピュータ２２に対して従属的に協働しながら稼動する。
【００５６】
ストロボユニット１２は、閃光発光部４２と、ストロボ発光回路４３と、ストロボ制御用マイクロコンピュータ４４及び図示しない電池とから構成される。このストロボユニット１２は、ストロボ通信コネクタ１４を介してカメラ本体１と通信可能でかつ着脱可能に装着されている。
【００５７】
ボディ制御用マイクロコンピュータ２２には、無線液晶ディスプレイ８及び無線通信手段としての無線通信回路４５が接続されている。この無線通信回路４５には、アンテナ３が接続されている。無線通信回路４５は、アンテナ３を介して外部の通信機器、例えば図２０に示すようなデジタルカメラシステムを構築する他の各デジタルカメラ５０〜５２との間で被写体像の画像データ等の情報の送受信を行う。このデータ通信は、無線通信ネットワーク５３を介して行なわれる。この無線通信ネットワーク５３は、通信ネットワーク５４に複数のアクセスポイント（ＡＰ）、例えば２つのアクセスポイント５５、５６が接続されている。なお、無線通信回路４５は、図示しないがパーソナルコンピュータとの間で被写体像の画像データ等の情報の送受信を行ってもよい。
【００５８】
このように構成されたデジタルカメラの撮影動作について説明する。
【００５９】
先ず、ボディ制御用マイクロコンピュータ２２は、画像処理コントローラ３３に対して動作指示を与える。この画像処理コントローラ３３は、撮像素子インターフェイス回路３４を制御し、撮像モジュール３０から撮像素子インターフェイス回路３４を介して画像データを取り込み、この画像データを一時保管用メモリであるＳＤＲＡＭ３５に一時保存する。画像処理コントローラ３３は、ＳＤＲＡＭ３５に一時保存された画像データを例えばＪＰＥＧデータに変換し、通信コネクタ１３を介して記録メディア１１に保管する。
【００６０】
クイックリターンミラー２３がミラー駆動機構３７によってダウン位置にあるとき、各撮影レンズ２４、２５からの光束は、ＡＦセンサユニット２８側とペンタプリズム２５側へとそれぞれ分割されて導かれる。
【００６１】
ＡＦセンサユニット２８内のＡＦセンサは、各撮影レンズ２４、２５からの光束を受光してＡＦセンサ信号を出力する。このＡＦセンサ信号は、ＡＦセンサ駆動回路３８を介してボディ制御用マイクロコンピュータ２２へ送信される。このボディ制御用マイクロコンピュータ２２は、ＡＦセンサユニット２８の出力を取り込んで周知の測距処理を行う。
【００６２】
ペンタプリズム２５側に導かれた光束は、ペンタプリズム２５内を通って接眼レンズ２６に導かれる。これにより、撮影者は、ファインダ５から接眼レンズ２６を通して被写体を目視できる。これと共にペンタプリズム２５を通過した光束の一部は、測光回路３６内のホトセンサ（図示せず）へ導かれ、ここで検知された光量に基づいて周知の測光処理が行われる。
【００６３】
ボディ制御用マイクロコンピュータ２２は、設定されている撮影時間、撮影モード、露出、シャッタスピード、Ｆ値に従ってシャッタ駆動制御回路５１、絞り駆動制御回路２８などを動作制御する。
【００６４】
シャッタ駆動制御回路３９は、ボディ制御用マイクロコンピュータ２２からシャッタを駆動制御するための信号を受取ると、この信号に基づいてシャッタユニット２９を制御する。それと共に、シャッタ駆動制御回路３９から図示しない検出回路を介してフォトリフレクタが通電され、このフォトリフレクタの検出出力が検出回路、シャッタ駆動制御回路３９を介して検出信号として所定のタイミングでボディ制御用マイクロコンピュータ２２に送られる。シャッタ駆動制御回路３９は、ボディ制御用マイクロコンピュータ２２からシャッタユニット２９を駆動制御するための信号を受取ると、この信号に基づいてシャッタユニット２９を駆動制御する。
【００６５】
それと共に、シャッタ駆動制御回路３９は、所定のタイミングでボディ制御用マイクロコンピュータ２２に対してストロボを発光させるためのストロボ同調信号を出力する。ボディ制御用マイクロコンピュータ２２は、このストロボ同調信号に基づいてストロボユニット１２に通信により発光指令信号を出力する。これにより、閃光発光部４２は、閃光を発する。
【００６６】
この結果、シャッタユニット２９が開放されたときに撮像モジュール３０から出力された撮像画像データは、画像処理コントローラ３３によってＳＤＲＡＭ３５に一時保存され、例えばＪＰＥＧデータに変換され、通信コネクタ１３を介して記録メディア１１に保管される。
【００６７】
撮影者によって操作ボタン９−２が操作されて、撮影モードから画像表示モードへ切り換えられると、ボディ制御用マイクロコンピュータ２２は、記録メディア１１に保管された画像データを読み出し、画像処理コントローラ３３においてビデオ信号に変換し、被写体の静止像等をＴＦＴ液晶ディスプレイ６に表示する。
【００６８】
以上のデジタルカメラにおけるボディ制御用マイクロコンピュータ２２は、マルチタスク処理を行なうもので、以下の機能を有する。
【００６９】
すなわち、ボディ制御用マイクロコンピュータ２２は、ＴＦＴ液晶ディスプレイ６の表示画面に、例えば撮影モード、画像表示モード、フル画像の画像データ表示モード、サムネイル画像表示モード等の各種設定メニューを表示させる。
【００７０】
ボディ制御用マイクロコンピュータ２２は、送信の操作ボタン９−３の操作を受けると、記録メディア１１に保管された被写体の画像データを読み出し、この画像データを無線通信回路４５からアンテナ３を介して外部の通信機器に送信する。
【００７１】
ボディ制御用マイクロコンピュータ２２は、画像データを送信する場合、例えば十字キー７の各指示キー７ａ、７ｂ、７ｃ、７ｄの操作によって複数枚の画像データが選択されると、これら画像データを連続して送信する。
【００７２】
ボディ制御用マイクロコンピュータ２２は、図２乃至図１２に示すように無線液晶ディスプレイ８に対して無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などの表示制御を行う。
【００７３】
ボディ制御用マイクロコンピュータ２２は、第１の操作ボタン９−１の押下を受けて無線液晶ディスプレイ８のバックライトを点灯する。
【００７４】
ボディ制御用マイクロコンピュータ２２は、第１の操作ボタン９−１の押下を受けると、ＡＵＴＯモード、転送レート「１１ｇ」又は「１１ｂ」に決定したり、無線通信のセキュリティＦ３を「ＷＥＰ」又は「ＷＰＡ」に決定したり、又は無線通信の接続の相手Ｆ４を「ＳＴＯＲＡＧＥ」、「ＰＣ」又は「ＦＴＰ」に決定する。
【００７５】
ボディ制御用マイクロコンピュータ２２は、第１の操作ボタン９−１が所定時間、例えば２秒間押下されると、カスタムメニューの表示に切り替える。カスタムメニューの表示に切り替えられた状態で、第２の操作ボタン９−２が押下され続けられると、ボディ制御用マイクロコンピュータ２２は、無線液晶ディスプレイ８に表示するカスタムメニューの各項目を一定時間毎に、例えば「ＴＩＭＥ、ＰＩＣ、切替え表示決定」→「無線ＬＡＮモード設定」→「ＬＩＧＨＴ時間設定」→「ＩＮＦＯモード設定」→「ＴＩＭＥ、ＰＩＣ、切替え表示決定」に循環表示する。
【００７６】
ボディ制御用マイクロコンピュータ２２は、第２の操作ボタン９−２の押下を受けると、図１３に示すような無線通信状態の詳細情報をＴＦＴ液晶ディスプレイ６に表示する。
【００７７】
ボディ制御用マイクロコンピュータ２２は、ＴＦＴ液晶ディスプレイ６に被写体の静止画像又はサムネイル画像を表示した状態で、第３の操作ボタン９−３の押下を受けると、当該被写体の静止画像又はサムネイル画像のフル画像データを設定された送信先、例えば図１９に示す他のデジタルカメラ５０、５１又は５２に無線通信回路４５、アンテナ３を介して送信する。
【００７８】
次に、上記の如く構成された装置の動作について説明する。
【００７９】
先ず、カスタムメニューとして表示される「ＴＩＭＥ、ＰＩＣ、切替え表示決定」「無線ＬＡＮモード設定」「ＬＩＧＨＴ時間設定」「ＩＮＦＯモード設定」の各設定が行われる。撮影者が第１の操作ボタン９−１を押下することによりボディ制御用マイクロコンピュータ２２は、無線液晶ディスプレイ８にカスタムメニューの表示に切替え、この状態で撮影者が第２の操作ボタン９−２を押下し続けると、例えば「ＴＩＭＥ、ＰＩＣ、切替え表示決定」「無線ＬＡＮモード設定」「ＬＩＧＨＴ時間設定」「ＩＮＦＯモード設定」を一定時間毎に循環表示する。
【００８０】
図１４（ａ）〜（ｃ）に示すように「ＴＩＭＥ、ＰＩＣ、切替え表示決定」に切り替えた状態で、第３の操作ボタン９−３を押下すると、ボディ制御用マイクロコンピュータ２２は、先ず、同図（ａ）に示すように画像データの送信を終了するまでの残り時間を示す「ＴＩＭＥ」の白抜き表示と、画像データの残り駒数を示す「ＰＩＣ」の白抜き表示とをそれぞれ点滅する。
【００８１】
次に、第３の操作ボタン９−３を押下すると、ボディ制御用マイクロコンピュータ２２は、同図（ｂ）に示すように「ＴＩＭＥ」の白抜き表示のみが点滅する。この状態で、第１の操作ボタン９−１が撮影者によって押下されると、ボディ制御用マイクロコンピュータ２２は、残り時間の表示「ＴＩＭＥ」に決定する。
【００８２】
次に、第３の操作ボタン９−３を押下すると、ボディ制御用マイクロコンピュータ２２は、同図（ｃ）に示すように「ＰＩＣ」の白抜き表示のみが点滅する。この状態で、第１の操作ボタン９−１が撮影者によって押下されると、ボディ制御用マイクロコンピュータ２２は、残り駒数の表示「ＰＩＣ」に決定する。
【００８３】
図１５（ａ）〜（ｃ）に示すように「無線ＬＡＮモード設定」に切り替えた状態で、第３の操作ボタン９−３を押下すると、ボディ制御用マイクロコンピュータ２２は、同図（ａ）に示すように無線ＬＡＮモードとしての各転送レート「１１ｇ」「１１ｂ」の各モードの白抜き表示をそれぞれ点滅する。
【００８４】
次に、第３の操作ボタン９−３を押下すると、ボディ制御用マイクロコンピュータ２２は、同図（ｂ）に示すように転送レート「１１ｇ」のモードの白抜き表示のみが点滅する。この状態で、第１の操作ボタン９−１が撮影者によって押下されると、ボディ制御用マイクロコンピュータ２２は、転送レート「１１ｇ」モードに決定する。
【００８５】
次に、第３の操作ボタン９−３を押下すると、ボディ制御用マイクロコンピュータ２２は、同図（ｃ）に示すように転送レート「１１ｂ」の白抜き表示のみが点滅する。この状態で、第１の操作ボタン９−１が撮影者によって押下されると、ボディ制御用マイクロコンピュータ２２は、転送レート「１１ｇ」のモードに決定する。
【００８６】
図１６（ａ）〜（ｃ）に示すように「ＬＩＧＨＴ時間設定」に切り替えた状態で、第３の操作ボタン９−３を押下すると、ボディ制御用マイクロコンピュータ２２は、同図（ａ）に示すようにバックライトを示す「ＬＩ」を表示すると共に、点灯時間１０ｓを点滅する。この状態で、第１の操作ボタン９−１を押下すると、ボディ制御用マイクロコンピュータ２２は、点灯時間１０ｓを決定する。
【００８７】
以下、同様に、第３の操作ボタン９−３を押下して点灯時間２０ｓ、３０ｓ、１ｍｓ、３ｍｓ又は５ｓを点滅している状態で、第１の操作ボタン９−１を押下すると、ボディ制御用マイクロコンピュータ２２は、当該点灯時間２０ｓ、３０ｓ、１ｍｓ、３ｍｓ又は５ｓを決定する。
【００８８】
「ＩＮＦＯモード設定」に切り替えた状態で、第３の操作ボタン９−３を押下すると、この押下毎にボディ制御用マイクロコンピュータ２２は、ＶＩＷ（View）の点滅表示と、Ｐｒｏ（Profile）の点滅表示とを切り替える。いずれかの表示の状態で、第１の操作ボタン９−１が撮影者によって押下されると、ボディ制御用マイクロコンピュータ２２は、そのとき点滅しているＶＩＷ（View）又はＰｒｏ（Profile）を決定する。Ｐｒｏ（Profile）に決定されると、ボディ制御用マイクロコンピュータ２２は、図１３に示す無線通信状態における無線ＬＡＮの詳細情報をＴＦＴ液晶ディスプレイ６に表示する。
【００８９】
シャッタ２が押下されると、上記の如くシャッタユニット２９が開放され、被写体の像が各撮影レンズ１５、１６を介して撮像モジュール３０に入射する。この撮像モジュール３０は、被写体の像を撮像してその画像データを出力する。画像処理コントローラ３３は、撮像モジュール３０から出力された画像データをＳＤＲＡＭ３５に一時保存し、例えばＪＰＥＧデータに変換し、通信コネクタ１３を介して記録メディア１１に保管する。
【００９０】
撮影者によって操作ボタン９−２が操作されると、ボディ制御用マイクロコンピュータ２２は、記録メディア１１に保管された画像データを読み出し、画像処理コントローラ３３においてビデオ信号に変換し、被写体の静止画等をＴＦＴ液晶ディスプレイ６に表示する。
【００９１】
ここで、選択送信モードの場合、撮影者によって第３の操作ボタン９−３が押下されると、ボディ制御用マイクロコンピュータ２２は、ＴＦＴ液晶ディスプレイ６に表示されている被写体の静止画の画像データを予め設定された送信先、例えば図１９に示す他のデジタルカメラ５０、５１又は５２に無線通信回路４５、アンテナ３を介して送信する。なお、送信する画像データは、ＴＦＴ液晶ディスプレイ６の画面上で複数枚選択されると、ボディ制御用マイクロコンピュータ２２は、複数枚の画像データを順次送信する。
【００９２】
又、撮影後自動送信モードであれば、ボディ制御用マイクロコンピュータ２２は、撮影後に直ちに自動的に画像データを送信する。
【００９３】
このように画像データの送信中、ボディ制御用マイクロコンピュータ２２は、図２乃至図１２に示すように無線液晶ディスプレイ８に無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などを表示する。
【００９４】
すなわち、ボディ制御用マイクロコンピュータ２２は、無線液晶ディスプレイ８に無線通信の規格Ｆ１として転送レート「１１ｇ」又は「１１ｂ」を白抜きで表示すると共に、転送レート「１１ｇ」又は「１１ｂ」での転送スピードＦ６、例えば転送レート「１１ｇ」であれば例えば５４Ｍbps、４８Ｍbps、３６Ｍbps、転送レート「１１ｂ」であれば例えば１１Ｍbps、５．５Ｍbps、２Ｍbpsなどを数値表示する。
【００９５】
ボディ制御用マイクロコンピュータ２２は、例えば図５（ａ）〜（ｃ）に示すようにアンテナの形状を模した複数のバーの表示本数により無線通信のリンク強度Ｆ２を表示する。
【００９６】
なお、画像データの送信中にリンクが切れると、ボディ制御用マイクロコンピュータ２２は、アンテナの形状を模擬した複数のバーを点滅し、再びリンクされると、アンテナの形状を模擬した複数のバーを点灯する。又、画像データの送信中にリンクが切れ再接続されなかったり、その他エラーの発生により送信が途中で中断されると、ボディ制御用マイクロコンピュータ２２は、アンテナの形状を模した複数のバーを点滅して送信前の表示に戻し、かつＴＦＴ液晶ディスプレイ６に警告表示を行う。
【００９７】
ボディ制御用マイクロコンピュータ２２は、撮影者の選択により設定された無線通信のセキュリティＦ３、すなわち図６（ａ）に示すように設定なし、同図（ｂ）に示すように「ＷＥＰ」、又は同図（ｃ）に示すように「ＷＰＡ」を例えば黒色で表示する。
【００９８】
ボディ制御用マイクロコンピュータ２２は、図７（ａ）〜（ｃ）に示すように無線通信の接続の相手Ｆ４として「ＳＴＯＲＡＧＥ」、「ＰＣ」又は「ＦＴＰ」を例えば黒色で表示する。
【００９９】
ボディ制御用マイクロコンピュータ２２は、無線通信の送信状況Ｆ５として図８（ａ）に示すように画像データの送信中に、送信すべき画像データのうち送信した画像データの割合、例えば画像データの割合５０％の画像データを送信した状況であれば、画像データを示す「ＤＡＴＡ」の白抜き表示と共に５０％の数値表示を行う。
【０１００】
この数値表示と共に、ボディ制御用マイクロコンピュータ２２は、送信すべき画像データを送信終了するまでの残り時間、例えば画像データの割合５０％の画像データを送信した状況であれば、残り５０％の画像データを送信終了するまでの残り時間、ここでは残り時間を示す「ＴＩＭＥ」の白抜き表示と共に残り時間１００ｓを数値表示する。
【０１０１】
さらに、ボディ制御用マイクロコンピュータ２２は、直線状のバー表示のインジケータ表示Ｇによって画像データの送信を終了するまでの残り時間を表示する。上記のように例えば画像データの割合５０％の画像データを送信した状況であれば、インジケータ表示Ｇは、バー全長の半分だけ表示する。
【０１０２】
これと共に、ボディ制御用マイクロコンピュータ２２は、例えば画像データの割合５０％の画像データを送信した状況であれば、図９（ａ）に示すように画像データを示す「ＰＩＣ」の白抜き表示と共に、画像データの残り駒数、例えば１０枚を表示する。
【０１０３】
この後、画像データの送信が終了すると、ボディ制御用マイクロコンピュータ２２は、図８（ｂ）に示すように例えば画像データの割合を１００％、残り時間を０ｓとして表示すると共に、インジケータ表示Ｇをバー全長の表示する。
【０１０４】
これと共にボディ制御用マイクロコンピュータ２２は、図９（ｂ）に示すように「ＰＩＣ」の白抜き表示と共に、画像データの残り駒数、例えば０枚を表示する。
【０１０５】
このように上記第１の実施の形態によれば、カメラ背面４に、例えば被写体の動画をスルー画像として表示したり、被写体を撮像したときの静止画像をフル画像で表示したり、又はこの静止画像を圧縮したサムネイル画像等を表示したり、さらには撮像に関する各種設定メニューを表示するＴＦＴ液晶ディスプレイ６と、主として無線通信の状態に関する情報として例えば無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などを表示する無線液晶ディスプレイ８と、無線通信に関わる操作を行うための第１乃至第３の操作ボタン９−１〜９−３を設けた。
【０１０６】
これにより、電源オンの状態や無線通信状態の詳細な情報を確認することができ、しかも無線通信状態の詳細な情報の確認は、被写体を撮影するときに当該被写体の画像を切り替えることなく無線液晶ディスプレイ８に表示して確認することができて操作性が向上できる。
【０１０７】
無線通信状態の表示では、例えば無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などであり、詳細に無線通信状態を確認することができる。
【０１０８】
無線液晶ディスプレイ８に表示するカスタムメニューの各項目を一定時間毎に、例えば「ＴＩＭＥ、ＰＩＣ、切替え表示決定」→「無線ＬＡＮモード設定」→「ＬＩＧＨＴ時間設定」→「ＩＮＦＯモード設定」→「ＴＩＭＥ、ＰＩＣ、切替え表示決定」に循環表示するので、これら「ＴＩＭＥ、ＰＩＣ、切替え表示決定」「無線ＬＡＮモード設定」「ＬＩＧＨＴ時間設定」「ＩＮＦＯモード設定」「ＴＩＭＥ、ＰＩＣ、切替え表示決定」の決定操作が容易である。
【０１０９】
又、ＴＦＴ液晶ディスプレイ６に図１３に示すような無線通信状態の詳細情報として例えば通信先、ＥＳＳ−ＩＤ、無線モード、セキュリティ、通信モード、チャンネル、ＭＡＣアドレス、通信中ファイル、リンク強度、通信レート、残り時間、残り駒数などを表示して無線通信状態を確認できる。
【０１１０】
次に、本発明の第２の実施の形態について図面を参照して説明する。なお、図１及び図１９と同一部分には同一符号を付してその詳しい説明は省略する。
【０１１１】
図２１は一眼レフのデジタルカメラの概略外観図を示す。このデジタルカメラは、カメラ本体１に対してアクセサリ装置としての無線ユニット６０を着脱可能に設けられている。この無線ユニット６０には、第２の表示手段としての例えば無線液晶ディスプレイ８が設けられている。この無線液晶ディスプレイ８は、上記同様に、主として無線通信に関する情報を表示するもので、例えば無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などを表示する。
【０１１２】
又、無線ユニット６０には、複数の操作ボタン９−１〜９−４が設けられている。例えば、第１の操作ボタン９−１はライトボタン／決定ボタンであり、第２の操作ボタン９−２はＩＮＦＯ（information）ボタン／第１の変更ボタンであり、第３の操作ボタン９−３は送信ボタン／第２の変更ボタンであり、第４の操作ボタン９−４は機能を任意に設定可能なボタンである。
【０１１３】
又、無線ユニット６０には、アンテナ３が設けられている。
【０１１４】
図２２はデジタルカメラの機能ブロック図を示す。このデジタルカメラは、無線通信機能をカメラ本体１に対して外付きにしている。すなわち、無線ユニット６０は、カメラ本体１に設けられた無線装置通信コネクタ６１に対して着脱可能であり、かつ電気的に接続又は切り離される。この無線ユニット６０は、無線装置制御用マイクロコンピュータ６２に対して無線液晶ディスプレイ８、各操作ボタン９−１〜９−４、ＳＤＲＡＭ６３及び無線通信回路６４を接続したものとなっている。この無線通信回路６４には、アンテナ３が接続されている。
【０１１５】
無線装置制御用マイクロコンピュータ６２は、アンテナ７６から無線通信回路６４を通して他の外部の通信機器、例えば図２０に示すようなデジタルカメラシステムを構築する他の各デジタルカメラ５０〜５２、又はパーソナルコンピュータなどとの間で画像データ等のデータ通信を行う。
【０１１６】
無線装置制御用マイクロコンピュータ６２は、カメラ本体１内のボディ制御用マイクロコンピュータ２２と無線装置通信コネクタ６１を介して相互にデータの授受を行う。
【０１１７】
無線装置制御用マイクロコンピュータ６２は、上記図２乃至図１２に示すように無線ユニット６０における無線液晶ディスプレイ８に無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などの表示制御を行う。
【０１１８】
無線装置制御用マイクロコンピュータ６２は、第１の操作ボタン９−１の押下を受けて無線液晶ディスプレイ８のバックライトを点灯する。
【０１１９】
無線装置制御用マイクロコンピュータ６２は、第１の操作ボタン９−１の押下を受けると、ＡＵＴＯモード、転送レート「１１ｇ」又は「１１ｂ」に決定したり、無線通信のセキュリティＦ３を「ＷＥＰ」又は「ＷＰＡ」に決定したり、又は無線通信の接続の相手Ｆ４を「ＳＴＯＲＡＧＥ」、「ＰＣ」又は「ＦＴＰ」に決定する。
【０１２０】
無線装置制御用マイクロコンピュータ６２は、第１の操作ボタン９−１が所定時間、例えば２秒間押下されると、カスタムメニューの表示に切り替える。カスタムメニューの表示に切り替えられた状態で、第２の操作ボタン９−２が押下され続けられると、ボディ制御用マイクロコンピュータ２２は、無線液晶ディスプレイ８に表示するカスタムメニューの各項目を一定時間毎に、例えば「ＴＩＭＥ、ＰＩＣ、切替え表示決定」→「無線ＬＡＮモード設定」→「ＬＩＧＨＴ時間設定」→「ＩＮＦＯモード設定」→「ＴＩＭＥ、ＰＩＣ、切替え表示決定」に循環表示する。
【０１２１】
無線装置制御用マイクロコンピュータ６２は、第２の操作ボタン９−２の押下を受けると、図１３に示すような無線通信状態の詳細情報をＴＦＴ液晶ディスプレイ６に表示する。
【０１２２】
無線装置制御用マイクロコンピュータ６２は、ＴＦＴ液晶ディスプレイ６に被写体の静止画像又はサムネイル画像を表示した状態で、第３の操作ボタン９−３の押下を受けると、当該被写体の静止画像又はサムネイル画像のフル画像データを設定された送信先、例えば図１９に示す他のデジタルカメラ５０、５１又は５２に無線通信回路４５、アンテナ３を介して送信する。
【０１２３】
このようなデジタルカメラであれば、上記第１の実施の形態で説明したデジタルカメラと同一の動作を実行する。なお、その動作の説明は、上記第１の実施の形態と重複するので省略する。
【０１２４】
このように上記第２の実施の形態によれば、例えば被写体の動画をスルー画像として表示したり、被写体を撮像したときの静止画像をフル画像で表示したり、又はこの静止画像を圧縮したサムネイル画像等を表示したり、さらには撮像に関する各種設定メニューを表示するＴＦＴ液晶ディスプレイ６と、主として無線通信の状態に関する情報として例えば無線通信の規格Ｆ１、無線通信のリンク強度Ｆ２、無線通信のセキュリティＦ３、無線通信の接続の相手Ｆ４、無線通信により送信される画像データの残量などの無線通信の送信状況Ｆ５、無線通信における転送スピードＦ６などを表示する無線液晶ディスプレイ８と、無線通信に関わる操作を行うための第１乃至第３の操作ボタン９−１〜９−３を設けた無線ユニット６０をカメラ本体１に対して着脱可能に設けた。
【０１２５】
これにより、上記第１の実施の形態と同様に、電源オンの状態や無線通信状態の詳細な情報を確認することができ、しかも無線通信状態の詳細な情報の確認は、被写体を撮影するときに当該被写体の画像を切り替えることなく無線液晶ディスプレイ８に表示して確認することができて操作性が向上できると共に、画像データを送信する場合と送信しない場合とに応じて無線ユニット６０をカメラ本体１から着脱でき、使い勝手を向上できる。
【図面の簡単な説明】
【０１２６】
【図１】本発明に係るデジタルカメラの第１の実施の形態を示す背面図。
【図２】同デジタルカメラにおける無線液晶ディスプレイに表示される通信状態に関する情報の拡大図。
【図３】同デジタルカメラにおける無線液晶ディスプレイに表示される転送レート及び転送スピードの表示例を示す図。
【図４】同デジタルカメラにおける無線液晶ディスプレイに表示される転送レート及び転送スピードの表示例を示す図。
【図５】同デジタルカメラにおける無線通信のリンク強度の表示例を示す図。
【図６】同デジタルカメラにおけるセキュリティの設定の表示例を示す図。
【図７】同デジタルカメラにおける無線通信の接続の相手の表示例を示す図。
【図８】同デジタルカメラにおける画像データの送信を終了するまでの残り時間の表示例を示す図。
【図９】同デジタルカメラにおける画像データの送信を終了する残り駒数の表示例を示す図。
【図１０】同デジタルカメラにおける画像データの送信を終了するまでの残り時間と残り駒数との切替え表示例を示す図。
【図１１】同デジタルカメラにおける無線ＬＡＮモードの設定状態の表示例を示す図。
【図１２】同デジタルカメラにおける通信ネットワークでの送信モードの設定状態の表示例を示す図。
【図１３】同デジタルカメラにおける無線通信状態の詳細情報の表示例を示す図。
【図１４】同デジタルカメラにおけるＴＩＭＥ、ＰＩＣ、切替え表示決定のカスタムメニューの表示例を示す図。
【図１５】同デジタルカメラにおける無線ＬＡＮモード設定のカスタムメニューの表示例を示す図。
【図１６】同デジタルカメラにおけるＬＩＧＨＴ時間設定のカスタムメニューの表示例を示す図。
【図１７】同デジタルカメラにおけるＩＮＦＯモード設定のカスタムメニューの表示例を示す図。
【図１８】同デジタルカメラにおける電源オン・オフ時の表示例を示す図。
【図１９】同デジタルカメラの機能ブロック図。
【図２０】同デジタルカメラを用いたデジタルカメラシステムの構成図。
【図２１】本発明に係るデジタルカメラの第２の実施の形態を示す背面図。
【図２２】同デジタルカメラの機能ブロック図。
【符号の説明】
【０１２７】
１：カメラ本体、２：レリーズボタン、３：アンテナ、４：カメラ背面、５：ファインダ、６：ＴＦＴ液晶ディスプレイ、７：十字キー、７ａ，７ｂ，７ｃ，７ｄ：指示キー、８：無線液晶ディスプレイ、９−１〜９−３：操作ボタン、１０：レンズユニット、１１：記録メディア、１２：ストロボユニット、１３：通信コネクタ、１４：ストロボ通信コネクタ、１４，１５：撮影レンズ、１７：絞り、１８：レンズ駆動機構、１９：絞り駆動機構、２０：レンズ制御用マイクロコンピュータ、２１：レンズ通信コネクタ、２２：ボディ制御用マイクロコンピュータ、２３：クイックリターンミラー、２４：フォーカシングスクリーン、２５：ペンタプリズム、２６：接眼レンズ、２７：サブミラー、２８：ＡＦ（オートフォーカス）センサユニット、２９：シャッタユニット、３０：撮像モジュール、３１：固体撮像素子（ＣＣＤ）、３２：撮像ユニット、３３：画像処理コントローラ、３４：撮像素子インターフェイス回路、３５：ＳＤＲＡＭ、３６：測光回路、３７：ミラー駆動機構、３８：ＡＦセンサ駆動回路、３９：シャッタ駆動制御回路、４０：不揮発性メモリ（ＥＥＰＲＯＭ）、４１：カメラ操作部、４２：閃光発光部、４３：ストロボ発光回路、４４：ストロボ制御用マイクロコンピュータ、４５：無線通信回路、５０〜５２：デジタルカメラ、５３：無線通信ネットワーク、５４：通信ネットワーク、５５，５６：アクセスポイント、６０：無線ユニット、６１：無線装置通信コネクタ、６２：無線装置制御用マイクロコンピュータ、６３：ＳＤＲＡＭ、６４：無線通信回路。
【図１】
2006238018.tif 000003
【図２】
2006238018.tif 000004
【図３】
2006238018.tif 000005
【図４】
2006238018.tif 000006
【図５】
2006238018.tif 000007
【図６】
2006238018.tif 000008
【図７】
2006238018.tif 000009
【図８】
2006238018.tif 000010
【図９】
2006238018.tif 000011
【図１０】
2006238018.tif 000012
【図１１】
2006238018.tif 000013
【図１２】
2006238018.tif 000014
【図１３】
2006238018.tif 000015
【図１４】
2006238018.tif 000016
【図１５】
2006238018.tif 000017
【図１６】
2006238018.tif 000018
【図１７】
2006238018.tif 000019
【図１８】
2006238018.tif 000020
【図１９】
2006238018.tif 000021
【図２０】
2006238018.tif 000022
【図２１】
2006238018.tif 000023
【図２２】
2006238018.tif 000024